(57)【要約】【課題】電気部品表面への水分や塩分の付着を抑制することができる絶縁トロリシステムを提供する。【解決手段】建屋躯体２００に設けたハンガー用ブラケット２０１に取り付けた絶縁トロリ取付ハンガー１１と、この絶縁トロリ取付ハンガー１１に固定された絶縁トロリ１２と、天井クレーン１００から延ばした集電子用ブラケット１０７に取り付けた集電子取付ポスト１３と、この集電子取付ポスト１３に支持され天井クレーン１００の移動に伴って絶縁トロリ１２に摺接する集電子１４と、絶縁トロリ１２及び集電子１４を覆うダクト１５と、コンプレッサ１６と、このコンプレッサ１６及びダクト１５を接続する空気配管１７とを備えたことを特徴とする。【選択図】図２
2012183922.tif 000002
【特許請求の範囲】
【請求項１】
固定構造物側に設けたハンガー用ブラケットに取り付けた絶縁トロリ取付ハンガーと、
この絶縁トロリ取付ハンガーに固定された絶縁トロリと、
移動機器から延ばした集電子用ブラケットに取り付けた集電子取付ポストと、
この集電子取付ポストに支持され前記移動機器の移動に伴って前記絶縁トロリに摺接する集電子と、
前記絶縁トロリ及び前記集電子を覆うダクトと、
コンプレッサと、
このコンプレッサ及び前記ダクトを接続する空気配管と
を備えたことを特徴とする絶縁トロリシステム。
【請求項２】
請求項１の絶縁トロリシステムにおいて、
前記ダクトは、前記移動機器の走行方向に延在し前記集電子取付ポストを通すスリットと、このスリットに設けたシール部材と備えていることを特徴とする絶縁トロリシステム。
【請求項３】
請求項１又は２の絶縁トロリシステムにおいて、
前記空気配管は、前記コンプレッサの吐出管路から分岐して前記ダクトに対して当該ダクトの長手方向に所定の間隔で接続していることを特徴とする絶縁トロリシステム。
【請求項４】
請求項１−３のいずれかの絶縁トロリシステムにおいて、
前記コンプレッサが複数台設置されていることを特徴とする絶縁トロリシステム。
【発明の詳細な説明】
【技術分野】
【０００１】
本発明は、ホイスト、クレーン等の移動機器に電力を供給したり信号を伝送したりする絶縁トロリシステムに関する。
【背景技術】
【０００２】
従来から、例えば天井クレーンやホイスト等の移動機器に電力を供給したり信号を伝送したりするのに絶縁トロリが用いられている。絶縁トロリは、一般に、導体を絶縁カバーで覆うとともにその導体の一部を露出させ、この露出部分を被摺動面として当該被摺動面に集電子を摺動させる構成となっている（特許文献１等参照）。
【先行技術文献】
【特許文献】
【０００３】
【特許文献１】実開平２−６３２３８号公報
【発明の概要】
【発明が解決しようとする課題】
【０００４】
しかし、絶縁トロリにおいては、導体に対する集電子の相対移動を許容する構成とする必要があるため、導体と集電子との摺動部を絶縁カバーで完全に密封することはできず、高湿度環境下や雨天の状況下では、導体や集電子、絶縁カバー等に結露や雨水等による水分が付着してしまう。一般に電気部品の表面に水分が付着した場合、この水分を通じて電流リークが発生し得る。海岸付近に設置した移動機器では電気部品表面に塩分が付着し易く、電気部品表面に付着した塩分の水分吸湿によって絶縁トロリシステムの絶縁抵抗の更なる低下や金属材料の腐食等といった問題も発生し得る。
【０００５】
本発明は上記事情に鑑みなされたもので、電気部品表面への水分や塩分の付着を抑制することができる絶縁トロリシステムを提供することを目的とする。
【課題を解決するための手段】
【０００６】
上記目的を達成するために、第１の本発明は、固定構造物側に設けたハンガー用ブラケットに取り付けた絶縁トロリ取付ハンガーと、この絶縁トロリ取付ハンガーに固定された絶縁トロリと、移動機器から延ばした集電子用ブラケットに取り付けた集電子取付ポストと、この集電子取付ポストに支持され前記移動機器の移動に伴って前記絶縁トロリに摺接する集電子と、前記絶縁トロリ及び前記集電子を覆うダクトと、コンプレッサと、このコンプレッサ及び前記ダクトを接続する空気配管とを備えたことを特徴とする。
【０００７】
第２の発明は、第１の発明において、前記ダクトは、前記移動機器の走行方向に延在し前記集電子取付ポストを通すスリットと、このスリットに設けたシール部材と備えていることを特徴とする。
【０００８】
第３の発明は、第１又は第２の発明において、前記空気配管は、前記コンプレッサの吐出管路から分岐して前記ダクトに対して当該ダクトの長手方向に所定の間隔で接続していることを特徴とする。
【０００９】
第４の発明は、第１−第３のいずれかの発明において、前記コンプレッサが複数台設置されていることを特徴とする。
【発明の効果】
【００１０】
本発明によれば、絶縁トロリ及び集電子の周囲を乾燥した空気で満たすことができるので、電気部品表面への水分や塩分の付着を抑制することができる。
【図面の簡単な説明】
【００１１】
【図１】本発明の一実施形態に係る絶縁トロリシステムを適用した天井クレーンをその走行方向から見た図である。
【図２】本発明の一実施形態に係る絶縁トロリシステムの断面図である。
【図３】比較例に係る絶縁トロリシステムの断面図である。
【発明を実施するための形態】
【００１２】
以下に図面を用いて本発明の実施の形態を説明する。
【００１３】
図１は本発明の一実施形態に係る絶縁トロリシステムを適用した天井クレーンをその走行方向から見た図である。
【００１４】
図１に示した天井クレーン１００は、例えば原子力発電施設の原子炉建屋等に設置されており、クレーンガーダ１０１、及びこのクレーンガーダ１０１上に搭載されたトロリ１０２を備えている。固定構造物である両側の建屋躯体２００の上部にはランウェイガーダ（図示せず）を介して敷設されてクレーンガーダ１０１と直交する方向に左右の走行用レール１０３Ｌ，１０３Ｒが延在しており、クレーンガーダ１０１は、これら左右の走行用レール１０３Ｌ，１０３Ｒ上にそれぞれ左右の走行用車輪１０４Ｌ，１０４Ｒを介して搭載されており、走行用レール１０４Ｌ，１０４Ｒに沿って走行する構成となっている。トロリ１０２は、クレーンガーダ１０１上を当該クレーンガーダ１０１の走行方向と直交する方向に横行し、かつフック１０５を巻き上げる巻き上げ装置１０６を有している。なお、この天井クレーン１００は、原子炉建屋に限らず各種の機械工場での重量物や部品の運搬等にも適用可能であり、また、建屋内に限らず屋外にも設置され得る。
【００１５】
天井クレーン１には、絶縁トロリシステム１０を介して建屋躯体２００側から電力供給や信号伝送がなされる。
【００１６】
図２は絶縁トロリシステム１０の断面図である。
【００１７】
図２に示すように、絶縁トロリシステム１０は、絶縁トロリ取付ハンガー１１と、この絶縁トロリ取付ハンガー１１に固定された絶縁トロリ１２と、集電子取付ポスト１３と、この集電子取付ポスト１３に支持された集電子１４と、絶縁トロリ１２及び集電子１４を覆うダクト１５と、コンプレッサ１６（図１参照）と、このコンプレッサ１６及びダクト１５を接続する空気配管１７とを備えている。
【００１８】
絶縁トロリ取付ハンガー１１は、建屋躯体２００側に設けたハンガー用ブラケット２０１に取り付けられて下方に延在している。ハンガー用ブラケット２０１は、建屋躯体２００に対して天井クレーン１００の走行方向に所定間隔で複数設置されていて、各ハンガー用ブラケット２０１に対してそれぞれ絶縁トロリ取付ハンガー１１が垂設されている。各絶縁トロリ取付ハンガー１１の中間部には、硝子、陶磁器或いは合成樹脂からなる絶縁体１８が取り付けられている。また、絶縁トロリ取付ハンガー１１の先端部（下端部）にはフック１９が取り付けられている。フック１９は、断面が概略コの字状の部材であって、下端に鍵爪部２０を備えている。
【００１９】
絶縁トロリ１２は、フック１９に把持されていて、このフック１９を介して絶縁トロリ取付ハンガー１１に固定されている。この絶縁トロリ１２は、導体２１とこれに被せた絶縁カバー２２で構成されている。これら導体２１及び絶縁カバー２２は、天井クレーン１００の走行方向に延在しており、前述した複数の絶縁トロリ取付ハンガー１１によって吊り支持されている。絶縁カバー２２は、断面がコの字状をしていて下向きに開口しており、導体２１の下面を前述した集電子１４を摺動させる被摺動面２３として露出させるとともに上面及び左右の側面を包囲している。また、絶縁カバー２２の左右の側壁部は導体２１よりも下方に延在していて左右一対の脚部２４を構成している。
【００２０】
集電子取付ポスト１３は、天井クレーン１００のクレーンガーダ１０１から延ばした集電子用ブラケット１０７上に立設されている。集電子取付ポスト１３の上端部はコの字状をしていて上向きに開口したガイド部２５になっている。このガイド部２５の中央部には集電子１４が支持されており、天井クレーン１００の移動に伴って集電子１４が図２中の紙面直交方向に移動し絶縁トロリ１２に摺接する。このとき、ガイド部２５の左右の側壁部は上記した左右の脚部２４の左右方向の外側に位置していて、このガイド部２５が左右の脚部２４の外側をガードして移動することにより、天井クレーン１００に伴って移動する集電子１４の導体２１からの脱線が抑制される。
【００２１】
ダクト１５は、断面が例えば矩形状の中空の管であり、材質は特に限定されないが例えば塩化ビニール製のものが適用できる。このダクト１５は、天井クレーン１００の走行方向に延在しており、その上壁面に上記絶縁トロリ取付ハンガー１１が貫通していて、当該上壁面がハンガー用ブラケット２０１と絶縁体１８との間に挟み込まれることによってハンガー用ブラケット２０１に対して固定されている。また、このダクト１５の下壁部には、天井クレーン１００の走行方向に延在し集電子取付ポスト１３を通すスリット２６が設けられていて、このスリット２６を通して集電子取付ポスト１３の移動を許容している。すなわち、ダクト１５の内部の空間内において、絶縁トロリ１２が天井クレーン１００の走行方向に延在していて、この絶縁トロリ１２に対して、天井クレーン１００に伴って移動する集電子１４が摺動する構成である。そして、このスリット２６の縁部には、集電子取付ポスト１３の両側に一枚ずつシール部材としての絶縁シート２７が取り付けてあり、ダクト１５内の密閉性を高め空気の漏洩を抑えている。
【００２２】
コンプレッサ１６は、その据付位置に特別な限定はないが、例えば建屋内に１台又は複数台設置されている。このコンプレッサ１６の吐出管路には上記空気配管１７が接続しており、空気配管１７はコンプレッサ１６の吐出管路から分岐してダクト１５に対して当該ダクト１５の長手方向（天井クレーン１００の走行方向）に所定の間隔で設けられた接続口２８にそれぞれ接続している。
【００２３】
なお、図２では図の簡略のために絶縁トロリ１２及び集電子１４を一対しか図示していないが、実際には同様の構成のものが複数対並べて設けられるのが通常である。複数対設ける場合、例えば、ダクト１５で覆われた図２の構成の絶縁トロリ１２及び集電子１４を左右方向（トロリの横行方向）に複数併設することが考えられる。この場合、絶縁トロリ１２及び集電子１４の各対をそれぞれ別個のダクト１５で覆い、空気配管１７を分岐させて各ダクト１５に空気配管１７を接続する構成、或いは複数対の絶縁トロリ１２及び集電子１４を１つのダクト１５で覆う構成等が考えられる。
【００２４】
次に、絶縁トロリシステム１０の動作及び作用を順次説明していく。
【００２５】
コンプレッサ１６から吐出された乾燥空気は空気配管１７を通じてダクト１５に送り込まれ、ダクト１５に充満するとともに絶縁シート２７の隙間から徐々に漏出する。集電子１４は、こうして周囲を乾燥空気で満たされた環境下で絶縁トロリ１２の導体２１に接触し、導体２１を介して供給される電力を天井クレーン１００に送る。天井クレーン１００は、集電子１４を介して供給される電力を駆動減として、操作者の操作に従って走行、横行、巻上げの各動作をする。天井クレーン１００が走行すると、これに伴って集電子１４が導体２１に摺動する。
【００２６】
ここで、比較例としてダクト１５やコンプレッサ１６、空気配管１７を持たない絶縁トロリシステムを図３に例示する。
【００２７】
図３に示した絶縁トロリシステム１０’は、ハンガー用ブラケット２０１’に取り付けた絶縁トロリ取付ハンガー１１’と、導体２１’に絶縁カバー２２’を被せてなる絶縁トロリ１２’と、絶縁トロリ１２’を絶縁トロリ取付ハンガー１１’に連結するフック１９’と、集電子用ブラケット１０７’上に立設した集電子取付ポスト１３’と、集電子取付ポスト１３’上にガイド部２５を介して設けられた集電子１４’とを備えている。図２に示した本実施形態の絶縁トロリシステム１０と同じように、集電子１４’は導体２１’の被摺動面２３’に接触しており、絶縁カバー２２’の脚部２４’をガイド部２５’が脱線抑制のためにカバーしている。
【００２８】
本例の絶縁トロリシステム１０’が本実施形態に係る絶縁トロリシステム１０と相違する点は、絶縁トロリ１２’及び集電子１４’がダクトで包囲されておらず、絶縁トロリ１２’及び集電子１４’の周囲が外部の雰囲気と隔てられていない点にある。
【００２９】
このように絶縁トロリ１２’と集電子１４’と接触部が被覆されておらず外気に晒されていると、例えば屋外設置型の天井クレーン等に適用した場合には雨水が電気部品に付着したり、或いは高湿度環境下で稼動する場合には結露が電気部品に付着したりすることで、絶縁抵抗が低下してしまう。また、設置場所が海岸に近い場合には、電気部品表面に付着した塩分の水分吸湿によって絶縁抵抗の更なる低下や金属材料の腐食といった問題も発生し得る。
【００３０】
そこで、本実施形態においては、図２に示したように絶縁トロリ１２及び集電子１４の周囲をダクト１５で包囲し、コンプレッサ１６からの乾燥した空気でダクト１５の内部を満たすことで、導体２１や集電子１４等の電気部品への水分や塩分の付着を抑制することができる。よって、例えば高湿度環境下でも電気部品への水分付着による絶縁抵抗の低下を抑制することができ、また海岸付近で稼動する場合でも塩分付着による腐食を抑制することができる。したがって、多湿、換気不良等の厳しい設置環境下でも、天井クレーン１００を良好に稼動させることができ、クレーン休業による作業工程の遅れや追加の重機手配等の新たな作業の発生を抑制することができる。
【符号の説明】
【００３１】
１０          絶縁トロリシステム
１１          絶縁トロリ取付ハンガー
１２          絶縁トロリ
１３          集電子取付ポスト
１４          集電子
１５          ダクト
１６          コンプレッサ
１７          空気配管
１８          絶縁体
１９          フック
２０          鍵爪部
２１          導体
２２          絶縁カバー
２３          被摺動面
２４          脚部
２５          集電子用ブラケット
２６          スリット
２７          絶縁シート
２８          接続口
１００        天井クレーン
１０１        クレーンガーダ
１０２        トロリ
１０３Ｌ，Ｒ  走行用レール
１０４Ｌ，Ｒ  走行用車輪
１０５        フック
１０６        巻上げ装置
１０７        集電子用ブラケット
２００        建屋躯体
２０１        ハンガー用ブラケット
【図１】
2012183922.tif 000003
【図２】
2012183922.tif 000004
【図３】
2012183922.tif 000005